(57)【要約】【課題】照明コントローラおよび照明器具の通信設定を簡易に行う照明システムを提供する。【解決手段】照明システム１は、複数の照明器具１１、１２と、複数の照明器具１１、１２のそれぞれと通信する照明コントローラ２０と、照明コントローラ２０と通信する操作端末３０とを備える。操作端末３０は、照明コントローラ２０および複数の照明器具１１、１２に関する情報を表示する表示部３０ｃを有している。照明システム１は、照明コントローラ２０および複数の照明器具１１、１２のなかに無線通信を行う照明コントローラおよび照明器具が含まれているか否かを判断する制御部２１ｂを有している。制御部２１ｂは、無線通信を行う照明コントローラおよび照明器具が含まれていると判断した場合、表示部３０ｃに無線通信の通信設定に関する情報を表示させる。【選択図】図２
2020021571.tif 000002
【特許請求の範囲】
【請求項１】
複数の照明器具と、
前記複数の照明器具のそれぞれと通信する照明コントローラと、
前記照明コントローラと通信する操作端末と
を備える照明システムであって、
前記操作端末は、前記照明コントローラおよび前記複数の照明器具に関する情報を表示する表示部を有し、
前記照明システムは、前記照明コントローラおよび前記複数の照明器具のなかに無線通信を行う照明コントローラおよび照明器具が含まれているか否かを判断する制御部を有し、
前記制御部は、前記無線通信を行う照明コントローラおよび照明器具が含まれていると判断した場合、前記表示部に前記無線通信の通信設定に関する情報を表示させる
照明システム。
【請求項２】
前記制御部は、
前記照明コントローラおよび前記複数の照明器具のなかに、有線通信を行う照明コントローラおよび照明器具が含まれ、かつ、前記無線通信を行う照明コントローラおよび照明器具が含まれていると判断した場合、前記表示部に、前記有線通信の通信設定に関する情報を表示させた後に前記無線通信の通信設定に関する情報を表示させ、
前記有線通信を行う照明コントローラおよび照明器具が含まれ、かつ、前記無線通信を行う照明コントローラおよび照明器具が含まれていないと判断した場合、前記表示部に、前記有線通信の通信設定に関する情報を表示させた後に前記無線通信の通信設定に関する情報を表示させない
請求項１に記載の照明システム。
【請求項３】
前記制御部は、前記無線通信の通信設定に関する情報として、前記表示部に、前記照明コントローラと前記複数の照明器具との間の電波強度に関する情報を表示させる
請求項１または２に記載の照明システム。
【請求項４】
前記制御部は、前記無線通信の通信設定に関する情報として、前記表示部に、前記複数の照明器具に対する通信アドレスの付与に関する情報を表示させる
請求項１〜３のいずれか１項に記載の照明システム。
【請求項５】
前記照明コントローラは、メインコントローラと、前記メインコントローラに接続されている１以上のサブコントローラとを備える
請求項１〜４のいずれか１項に記載の照明システム。
【請求項６】
前記メインコントローラは、前記１以上のサブコントローラと有線で通信する
請求項５に記載の照明システム。
【請求項７】
前記１以上のサブコントローラは、前記複数の照明器具のそれぞれと有線または無線で通信する
請求項５または６に記載の照明システム。
【請求項８】
前記制御部は、前記照明コントローラおよび前記複数の照明器具から前記照明コントローラおよび前記複数の照明器具の機種に関する機種情報を取得し、前記機種情報に基づいて前記判断を行う
請求項１〜７のいずれか１項に記載の照明システム。
【請求項９】
前記制御部は、前記照明コントローラと前記複数の照明器具との間で送受信される通信信号を取得し、前記通信信号に基づいて前記判断を行う
請求項１〜８のいずれか１項に記載の照明システム。
【請求項１０】
前記照明コントローラは、前記複数の照明器具に無線信号を送信し、
前記制御部は、前記複数の照明器具のうち前記無線信号に応答した照明器具が存在するか否かに関する情報を取得し、当該情報に基づいて前記判断を行う
請求項１〜９のいずれか１項に記載の照明システム。
【請求項１１】
前記照明コントローラは、有線通信および無線通信のうち少なくとも一方の通信を行うように自身を設定する通信設定部を有し、
前記制御部は、前記通信設定部の設定に関する情報を取得した後に前記判断を行う
請求項１〜１０のいずれか１項に記載の照明システム。
【請求項１２】
前記操作端末は、前記照明システムの通信接続情報を記憶する記憶部を有し、
前記制御部は、前記記憶部から前記通信接続情報を取得することで前記判断を行う
請求項１〜１１のいずれか１項に記載の照明システム。
【請求項１３】
複数の照明器具と、前記複数の照明器具のそれぞれと通信する照明コントローラと、前記照明コントローラと通信する操作端末とを備える照明システムの通信設定方法であって、
前記照明コントローラおよび前記複数の照明器具のなかに無線通信を行う照明コントローラおよび照明器具が含まれているか否かを判断する工程と、
前記無線通信を行う照明コントローラおよび照明器具が含まれていると判断した場合、前記操作端末の表示部に前記無線通信の通信設定に関する情報を表示する工程と、
前記通信設定に関する情報に基づいた操作入力を受け付けることで、前記無線通信の通信設定を行う工程と
を含む照明システムの通信設定方法。
【発明の詳細な説明】
【技術分野】
【０００１】
本発明は、照明器具と照明コントローラと操作端末とを備える照明システム、および、照明システムの通信設定方法に関する。
【背景技術】
【０００２】
従来、複数の照明器具、照明コントローラおよび操作端末を備える照明システムが知られている。この種の照明システムの一例として、特許文献１には、操作端末と、操作端末と通信する第１および第２の照明コントローラと、第１の照明コントローラと有線で通信する複数の照明器具と、第２の照明コントローラと無線で通信する照明器具とを備える照明システムが開示されている。
【先行技術文献】
【特許文献】
【０００３】
【特許文献１】特開２０１７−１７４７８６号公報
【発明の概要】
【発明が解決しようとする課題】
【０００４】
照明システムでは、複数の照明器具および照明コントローラが建物の造営材等に設置された後、操作端末を用いて、複数の照明器具および照明コントローラのアドレス設定などの通信設定が行われる。
【０００５】
しかしながら、照明システムは、特許文献１に示すように有線通信を行う機器（照明コントローラおよび照明器具）および無線通信を行う機器の両方で構成されることがあり、また、有線通信を行う機器のみで構成されることもある。例えば、上記通信設定を行う際、照明システムが有線通信を行う機器のみで構成されているにもかかわらず操作端末の画面に無線通信の通信設定に関する情報が表示されると、通信設定作業を行うユーザに戸惑いが生じ、通信設定作業が停滞するという問題がある。
【０００６】
そこで、本発明は、照明コントローラおよび照明器具の通信設定を簡易に行うことができる照明システム等を提供する。
【課題を解決するための手段】
【０００７】
本発明の照明システムの一態様は、複数の照明器具と、前記複数の照明器具のそれぞれと通信する照明コントローラと、前記照明コントローラと通信する操作端末とを備える照明システムであって、前記操作端末は、前記照明コントローラおよび前記複数の照明器具に関する情報を表示する表示部を有し、前記照明システムは、前記照明コントローラおよび前記複数の照明器具のなかに無線通信を行う照明コントローラおよび照明器具が含まれているか否かを判断する制御部を有し、前記制御部は、前記無線通信を行う照明コントローラおよび照明器具が含まれていると判断した場合、前記表示部に前記無線通信の通信設定に関する情報を表示させる。
【０００８】
本発明の照明システムの通信設定方法の一態様は、複数の照明器具と、前記複数の照明器具のそれぞれと通信する照明コントローラと、前記照明コントローラと通信する操作端末とを備える照明システムの通信設定方法であって、前記照明コントローラおよび前記複数の照明器具のなかに無線通信を行う照明コントローラおよび照明器具が含まれているか否かを判断する工程と、前記無線通信を行う照明コントローラおよび照明器具が含まれていると判断した場合、前記操作端末の表示部に前記無線通信の通信設定に関する情報を表示する工程と、前記通信設定に関する情報に基づいた操作入力を受け付けることで、前記無線通信の通信設定を行う工程とを含む。
【発明の効果】
【０００９】
本発明の照明システム等は、照明コントローラおよび照明器具の通信設定を簡易に行うことができる。
【図面の簡単な説明】
【００１０】
【図１】実施の形態１に係る照明システムの一例を示す概略図である。
【図２】実施の形態１に係る照明システムの一例を示すブロック構成図である。
【図３】実施の形態１に係る照明コントローラの変形例を示すブロック構成図である。
【図４】実施の形態１に係る照明システムの通信設定方法を示すフローチャートである。
【図５】実施の形態１の操作端末に表示される画像の一例を示す図である。
【図６】実施の形態１の操作端末に表示される画像の一例であって、図５の次に表示される画像を示す図である。
【図７】実施の形態１に係る照明システムの他の例を示す概略図である。
【図８】実施の形態１に係る照明システムの他の例を示すブロック構成図である。
【図９】実施の形態１に係る操作端末に表示される画像の他の例を示す図である。
【図１０】実施の形態２に係る照明システムを示す概略図である。
【図１１】実施の形態２に係る照明システムを示すブロック構成図である。
【図１２】実施の形態３に係る照明システムを示す概略図である。
【図１３】実施の形態３に係る照明システムを示すブロック構成図である。
【図１４】実施の形態４に係る照明システムの通信設定方法を示すフローチャートの一部である。
【図１５】実施の形態４の操作端末に表示される画像の一部を示す図である。
【発明を実施するための形態】
【００１１】
前述したように照明システムは、有線通信を行う機器（以下、有線機器と呼ぶ）および無線通信を行う機器（以下、無線機器と呼ぶ）の両方で構成されることがあり、また、有線機器のみで構成されることもある。本実施の形態では、照明システムが、有線機器および無線機器の両方で構成されていても、有線機器のみで構成されていても、どちらの構成であっても通信設定を簡易に行うことができる。
【００１２】
本実施の形態では、まず先に、照明システムが有線機器および無線機器の両方で構成されている例について説明し、その後の「１−４．照明システムの他の例」にて、照明システムが有線機器のみで構成されている例について説明する。
【００１３】
以下、実施の形態について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置および接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１４】
なお、各図は、模式図であり、必ずしも厳密に図示されたものではない。また、各図において、実質的に同一の構成に対しては同一の符号を付しており、重複する説明は省略または簡略化する。
【００１５】
（実施の形態１）
［１−１．照明システムの概略構成］
まず、照明システム１が有線機器および無線機器の両方で構成されている例について説明する。図１は、実施の形態１に係る照明システム１の一例を示す概略図である。図２は、照明システム１の一例を示すブロック構成図である。
【００１６】
照明システム１は、複数の照明器具１１、１２と、照明コントローラ２０と、操作端末３０とを備える。照明コントローラ２０は、メインコントローラ２１と複数のサブコントローラ２２、２３とによって構成されている。
【００１７】
図１および図２では４台の照明器具１１、１２が示されているが、この図は一例であり、実際は建物の天井などに１００台以上の照明器具が設置されることがある。また、図１および図２では２台のサブコントローラ２２、２３が示されているが、この図は一例であり、実際は３台以上のサブコントローラが設置されることがある。
【００１８】
図１および図２を参照しながら、照明システム１を構成する複数の照明器具１１、１２、照明コントローラ２０および操作端末３０の通信接続関係について説明する。
【００１９】
照明コントローラ２０を構成するメインコントローラ２１および各サブコントローラ２２、２３は、有線によって通信可能となっている。サブコントローラ２３は、照明コントローラ２０に最も近いサブコントローラ２２を介してメインコントローラ２１に接続されている。なお、サブコントローラ２３は、メインコントローラ２１に直接接続されていてもよい。
【００２０】
サブコントローラ２２および各照明器具１１は、有線によって通信可能となっている。例えば、サブコントローラ２２と各照明器具１１とは、有線の通信規格に基づく通信信号を利用することによって通信する。
【００２１】
サブコントローラ２３および各照明器具１２は、無線ｒ１によって通信可能となっている。無線ｒ１による通信方式としては、９２０ＭＨｚ帯の周波数を利用した特定小電力無線、Ｚｉｇｂｅｅ（登録商標）、Ｂｌｕｅｔｏｏｔｈ（登録商標）、または、ＷｉＦｉ（登録商標）などの方式が用いられる。
【００２２】
照明コントローラ２０および操作端末３０は、無線ｒ２によって通信可能となっている。例えば、無線ｒ２による通信方式としては、無線ｒ１と同様の方式が用いられる。なお、操作端末３０および照明コントローラ２０は、ＵＳＢ（Ｕｎｉｖｅｒｓａｌ  Ｓｅｒｉａｌ  Ｂｕｓ）ケーブルなどによって通信可能となっていてもよい。
【００２３】
［１−２．照明システムの各構成］
次に、照明システム１を構成する複数の照明器具１１、１２、照明コントローラ２０および操作端末３０について説明する。
【００２４】
図２に示すように、有線通信を行う照明器具１１のそれぞれは、点灯部（図示省略）、制御部１１ｂおよび通信部１１ａを備えている。
【００２５】
点灯部は、例えば、白色光、赤色光、緑色光または青色光を発する複数の発光ダイオードを有している。
【００２６】
通信部１１ａは、例えば有線モジュールであり、照明コントローラ２０と有線で通信する。具体的には通信部１１ａは、サブコントローラ２２を介してメインコントローラ２１と有線通信する。
【００２７】
制御部１１ｂは、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ならびに、プログラムおよびデータを記憶しているＲＯＭ（Ｒｅａｄ  Ｏｎｌｙ  Ｍｅｍｏｒｙ）などによって構成されている。制御部１１ｂは、点灯部を調光制御および調色制御する。制御部１１ｂには、有線および無線の通信機能の有無を判別することができる照明器具の機種に関する機種情報が保存されている。照明器具１１が建物に設置された直後は、制御部１１ｂには自身の通信アドレスが保存されていないが、後述する通信設定が行われることで、制御部１１ｂに自身の通信アドレスが保存される。
【００２８】
無線通信を行う照明器具１２のそれぞれは、点灯部（図示省略）、制御部１２ｂおよび通信部１２ａを備えている。
【００２９】
点灯部は、例えば、白色光、赤色光、緑色光または青色光を発する複数の発光ダイオードを有している。
【００３０】
通信部１２ａは、例えば無線モジュールであり、照明コントローラ２０と無線で通信する。具体的には、通信部１２ａは、サブコントローラ２３を介してメインコントローラ２１と通信する。
【００３１】
制御部１２ｂは、ＣＰＵ、ＲＡＭ、ならびに、プログラムおよびデータを記憶しているＲＯＭなどによって構成され、点灯部を調光制御および調色制御する。制御部１２ｂには、例えば、有線および無線の通信機能の有無を判別することができる照明器具の機種に関する機種情報が保存されている。照明器具１２が建物に設置された直後は、制御部１２ｂには自身の通信アドレスが保存されていないが、後述する通信設定が行われることで、制御部１２ｂに自身の通信アドレスが保存される。
【００３２】
前述したように照明コントローラ２０は、メインコントローラ２１および複数のサブコントローラ２２、２３によって構成されている。
【００３３】
メインコントローラ２１は、複数の照明器具１１、１２の点灯制御を行う管理装置である。メインコントローラ２１は、表示ランプ（図示省略）、制御部２１ｂおよび通信部２１ａを備えている。
【００３４】
表示ランプは、メインコントローラ２１に接続される配線の有無、すなわち結線に関する情報を報知する報知部である。
【００３５】
通信部２１ａは、例えば、有線および無線モジュールであり、操作端末３０と無線ｒ２で通信し、また、サブコントローラ２２、２３と有線で通信する。
【００３６】
制御部２１ｂは、ＣＰＵ、ＲＡＭおよびＲＯＭなどによって構成される。制御部２１ｂは、照明システム１の通信設定を行う過程にて各サブコントローラ２２、２３および各照明器具１１、１２の通信アドレスを生成し、生成した通信アドレスを各サブコントローラ２２、２３および各照明器具１１、１２に付与する。
【００３７】
また制御部２１ｂには、照明システム１の通信設定の過程で取得される各種情報が保存される。例えば各種情報は、メインコントローラ２１とサブコントローラ２２、２３との結線状態、および、サブコントローラ２２、２３と各照明器具１１、１２との結線状態に関する情報である。例えば各種情報は、サブコントローラ２２、２３および各照明器具１１、１２の機種名に関する情報である。例えば各種情報は、サブコントローラ２３および各照明器具１２の間の電波強度に関する情報である。この制御部２１ｂについては後で詳しく述べる。
【００３８】
各サブコントローラ２２、２３は、メインコントローラ２１と照明器具１１、１２とを繋ぐアクセス機器である。各サブコントローラ２２、２３は、メインコントローラ２１に接続されている。サブコントローラ２２は、表示ランプ、制御部２２ｂおよび通信部２２ａを備えている。サブコントローラ２３は、表示ランプ、制御部２３ｂおよび通信部２３ａを備えている。
【００３９】
表示ランプは、各サブコントローラ２２、２３に接続される配線の有無、すなわち結線に関する情報を報知する報知部である。
【００４０】
サブコントローラ２２の通信部２２ａは、例えば有線モジュールであり、メインコントローラ２１および各照明器具１１のそれぞれと有線で通信する。サブコントローラ２３の通信部２３ａは、例えば有線および無線モジュールであり、メインコントローラ２１と有線で通信し、各照明器具１２と無線ｒ１で通信する。
【００４１】
各制御部２２ｂ、２３ｂは、ＣＰＵ、ＲＯＭおよびＲＡＭなどによって構成されている。各制御部２２ｂ、２３ｂには、後述する通信設定が行われることで各通信アドレスが保存される。
【００４２】
操作端末３０は、例えば、タブレット端末またはスマートフォンであり、照明コントローラ２０および照明器具１１、１２の通信設定を行うための設定器である。操作端末３０は、制御部３０ｂと、制御部３０ｂに接続されている通信部３０ａおよび表示部３０ｃとを備えている。
【００４３】
通信部３０ａは、無線モジュールなどにより構成され、無線ｒ２によって照明コントローラ２０と通信可能になっている。
【００４４】
制御部３０ｂは、通信部３０ａおよび表示部３０ｃの作動を制御する部分であり、ＣＰＵと、ＲＡＭおよびＲＯＭなどの記憶部３０ｄとによって構成されている。
【００４５】
表示部３０ｃは、例えばタッチパネルであり、照明コントローラ２０および各照明器具１１、１２の通信設定に関する情報を表示する。通信設定に関する情報は、例えば、照明コントローラ２０と照明器具１１、１２との結線状態に関する情報、照明コントローラ２０および各照明器具１１、１２の機種名に関する情報、ならびに、サブコントローラ２３および各照明器具１２の間の電波強度に関する情報である。なお表示部３０ｃは、ユーザの操作入力を受け付ける入力部としての機能も有している。
【００４６】
上記照明システム１の通信設定を行う際、制御部２１ｂは、照明コントローラ２０および複数の照明器具１１、１２のなかに無線通信を行う照明コントローラおよび照明器具が含まれているか否かを判断する。そして、制御部２１ｂは、照明システム１に無線通信を行う照明コントローラおよび照明器具が含まれていると判断した場合、表示部３０ｃに無線通信の通信設定に関する情報を表示させる。
【００４７】
より具体的には、制御部２１ｂは、照明コントローラ２０および複数の照明器具１１、１２のなかに、有線通信を行う照明コントローラおよび照明器具が含まれ、かつ、無線通信を行う照明コントローラおよび照明器具が含まれていると判断した場合、表示部３０ｃに、有線通信の通信設定に関する情報を表示させた後に無線通信の通信設定に関する情報を表示させる。また、制御部２１ｂは、有線通信を行う照明コントローラおよび照明器具が含まれ、かつ、無線通信を行う照明コントローラおよび照明器具が含まれていないと判断した場合、表示部３０ｃに、有線通信の通信設定に関する情報を表示させた後に無線通信の通信設定に関する情報を表示させない。
【００４８】
例えば、有線通信を行う照明コントローラおよび照明器具が含まれているか否かの判断は、照明コントローラと複数の照明器具１１、１２との間で送受信される通信信号を取得することで判断される。また、有線通信および無線通信を行う照明コントローラおよび照明器具が含まれているか否かの判断は、照明コントローラ２０および複数の照明器具１１、１２の機種に関する機種情報を取得することで判断される。
【００４９】
なお、無線通信を行う照明コントローラおよび照明器具が含まれているか否かの判断は、照明コントローラ２０から複数の照明器具１１、１２に無線信号を送信し、その無線信号に応答した照明器具が存在するか否かで判断してもよい。
【００５０】
このように、照明システム１に無線通信を行う照明コントローラおよび照明器具が含まれる場合に、無線通信の通信設定に関する情報を表示部３０ｃに表示することで、通信設定を行うユーザに戸惑いが生じることを抑制することができる。これにより、照明システム１の通信設定を簡易に行うことができる。
【００５１】
なお、上記実施の形態１では、照明システム１に無線通信を行う照明コントローラおよび照明器具が含まれているか否かの判断を、照明コントローラ２０の制御部２１ｂにて行う例を示したが、それに限られない。例えば、無線通信を行う照明コントローラおよび照明器具が含まれているか否かの判断を、操作端末３０の制御部３０ｂにて行ってもよい。
【００５２】
また、上記の実施の形態１では、有線機器および無線機器が予め決められている例を示したが、それに限られず、各機器は有線通信機能および無線通信機能を切り替え可能であってもよい。
【００５３】
図３は、照明コントローラ２０の変形例を示すブロック構成図である。例えば図３に示すように、メインコントローラ２１、サブコントローラ２２、２３のそれぞれが、有線通信および無線通信のうち少なくとも一方の通信を行うように自身を設定する通信設定部２１ｅ、２２ｅ、２３ｅのそれぞれを有していてもよい。通信設定部２１ｅ、２２ｅ、２３ｅの設定は、各機器に設けられたディップスイッチによって切り替えらえれてもよいし、操作端末３０の入力によって切り替えられてもよい。
【００５４】
［１−３．照明システムの通信設定方法］
次に、照明システム１の通信設定方法について、図４〜図６を参照しながら説明する。図４は、照明システム１の通信設定方法を示すフローチャートである。図５は、操作端末３０に表示される画像の一例を示す図である。図６は、操作端末３０に表示される画像であって、図５の次に表示される画像の一例を示す図である。
【００５５】
はじめに、照明コントローラ２０および各照明器具１１、１２などの機器が建物の天井に設置される。こられの機器が建物に設置された状態で、照明システム１の通信設定が行われる。
【００５６】
まず、有線機器の結線確認が行われる（ステップＳ１１）。具体的には、照明コントローラ２０および照明器具１１、１２のうち有線通信を行う照明コントローラ２０および照明器具１１、１２の結線状態が確認される。その確認を行うため、制御部２１ｂは、図５の（ａ）に示すように、操作端末３０の表示部３０ｃに照明コントローラ２０および照明器具１１、１２の結線状態を確認するための画像を表示させる。制御部２１ｂは、表示部３０ｃを介して「結線確認開始」の入力を受け付けると、照明システム１の結線状態を可視化するための出力を行う。例えば制御部２１ｂは、有線接続されているメインコントローラ２１、サブコントローラ２２、２３の表示ランプ、および、各照明器具１１の点灯部を所定の時間、点滅させる。これによりユーザは、メインコントローラ２１、サブコントローラ２２、２３および各照明器具１１が有線接続されていることを視認することができる。なお、本実施の形態では、有線機器の階層の下に無線機器が配置されているので、無線機器よりも先に有線機器の通信確認を行っている。
【００５７】
次に、有線機器に通信アドレスが付与される（ステップＳ１２）。具体的には、有線接続されているサブコントローラ２２、２３および照明器具１１のそれぞれに通信アドレスが付与される。通信アドレスの付与を行うため、制御部２１ｂは、図５の（ｂ）に示すように、表示部３０ｃに通信アドレスの設定を開始するための画像を表示させる。制御部２１ｂは、表示部３０ｃを介して「通信アドレス設定」の入力を受け付けると、サブコントローラ２２、２３および照明器具１１に通信アドレスを出力する。これにより、サブコントローラ２２、２３および各照明器具１１のそれぞれに通信アドレスが保存され、また、制御部２１ｂにもサブコントローラ２２、２３および照明器具１１の通信アドレスが保存される。
【００５８】
なお、制御部２１ｂは、通信アドレスが付与される際に行われるメインコントローラ２１と、サブコントローラ２２、２３、各照明器具１１との有線通信によって、各機器の機種名および台数に関する情報を取得することができる。また、制御部２１ｂは、取得した機種名等によって、照明システム１に無線機器が含まれているか否かの情報を取得することができる。
【００５９】
次に、機器の機種名および台数が表示される（ステップＳ１３）。ここで制御部２１ｂは、ステップＳ１２にて取得した機器の機種名および台数に関する情報を表示部３０ｃに表示させる。例えば、図５の（ｃ）には、有線機器として、メインコントローラが１台、有線通信を行うサブコントローラが１台、有線通信を行う照明器具が２台存在することが示されている。また、図５の（ｃ）には、有線通信および無線通信を行うサブコントローラが１台存在することが示されている。この時点では、無線通信を行う照明器具の台数は未確認（不明）である。
【００６０】
次に、制御部２１ｂにて、照明システム１における無線機器の有無が判断される（ステップＳ１４）。
【００６１】
制御部２１ｂは、照明コントローラ２０（メインコントローラ２１、サブコントローラ２２、２３）および複数の照明器具１１、１２のなかに無線通信を行う照明コントローラおよび照明器具が含まれていないと判断した場合（Ｓ１４のＮ）、無線通信の通信設定に関する情報を表示部３０ｃに表示させず、次の工程へ進む。次の工程とは、例えば、通信アドレスおよびレイアウト情報の関連付けを行う工程である。
【００６２】
一方、制御部２１ｂは、照明コントローラ２０および複数の照明器具１１、１２のなかに無線通信を行う照明コントローラおよび照明器具が含まれていると判断した場合（Ｓ１４のＹ）、無線通信の通信設定に関する情報を表示部３０ｃに表示させ、以下に示すような無線機器の通信設定を行う。
【００６３】
まず、無線通信のチャネル設定が行われる（ステップＳ１５）。具体的に制御部２１ｂは、図６の（ａ）に示すように、無線通信で使用する電波のチャネル、および、チャネルごとの電波強度に関する情報を表示部３０ｃに表示させる。制御部２１ｂは、「電波強度計測」の入力を受け付けると、サブコントローラ２３および各照明器具１２の間の電波強度を取得し、表示部３０ｃに表示させる。電波強度は、例えばサブコントローラ２３および各照明器具１２の間の平均値である。そして表示部３０ｃに表示されたチャネルのうちいずれかのチャネルが選択されると、無線通信のチャネルが決定される。
【００６４】
次に、無線機器の通信確認が行われる（ステップＳ１６）。具体的には、照明コントローラ２０および照明器具１１、１２のうち無線通信を行う照明コントローラ２０および照明器具１１、１２の無線通信状態が確認される。その確認を行うため、制御部２１ｂは、図６の（ｂ）に示すように、表示部３０ｃに照明コントローラ２０および照明器具１１、１２の無線通信状態を確認するための画像を表示させる。制御部２１ｂは、表示部３０ｃを介して「無線通信確認開始」の入力を受け付けると、照明システム１の無線通信状態を可視化するための出力を行う。例えば制御部２１ｂは、無線接続されているサブコントローラ２３の表示ランプ、および、各照明器具１２の点灯部を所定の時間、点滅させる。これによりユーザは、サブコントローラ２３および各照明器具１２が無線接続されていることを視認することができる。
【００６５】
次に、無線機器に通信アドレスが付与される（ステップＳ１７）。具体的には、無線接続されている各照明器具１２のそれぞれに通信アドレスが付与される。通信アドレスを付与するため、制御部２１ｂは、図６の（ｃ）に示すように、表示部３０ｃに通信アドレスの設定を開始するための画像を表示させる。制御部２１ｂは、表示部３０ｃを介して「通信アドレス設定」の入力を受け付けると、各照明器具１２に通信アドレスを出力する。これにより、各照明器具１２に通信アドレスが保存され、また、制御部２１ｂにも各照明器具１２の通信アドレスが保存される。
【００６６】
なお、制御部２１ｂは、通信アドレスが付与される際に行われるサブコントローラ２３と各照明器具１２との無線通信によって、無線機器の機種名および台数に関する情報を取得することができる。
【００６７】
次に、無線機器の機種名および台数が表示される（ステップＳ１８）。ここで制御部２１ｂは、ステップＳ１７にて取得した無線機器の機種名および台数に関する情報を表示部３０ｃに表示させる。例えば、図６の（ｄ）には、無線機器として、無線通信を行う照明器具が２台存在することが示されている。
【００６８】
このようにステップＳ１１〜Ｓ１８において、通信設定に関する情報が表示され、また、通信設定に関する情報に基づいた操作入力を受け付けることで、有線機器および無線機器の通信設定が行われる。これにより、照明システム１の通信設定を簡易に行うことができる。
【００６９】
［１−４．照明システムの他の例］
次に、照明システム１が有線通信を行う機器のみで構成されている例について説明する。
【００７０】
図７は、照明システム１の他の例を示す概略図である。図８は、照明システム１の他の例を示すブロック構成図である。
【００７１】
図７および図８に示すように、他の例の照明システム１は、複数の照明器具１１と、照明コントローラ２０と、操作端末３０とを備える。照明コントローラ２０は、メインコントローラ２１とサブコントローラ２２とによって構成されている。
【００７２】
照明コントローラ２０を構成するメインコントローラ２１およびサブコントローラ２２は、有線によって通信可能となっている。サブコントローラ２２と各照明器具１１とは、有線によって通信可能となっている。照明コントローラ２０と操作端末３０とは、無線ｒ２によって通信可能となっている。
【００７３】
次に、他の例の照明システム１の通信設定方法について、図４および図９を参照しながら説明する。先に示した図４のフローチャートは、他の例の照明システム１にも適用される。図９は、操作端末３０に表示される画像の他の例を示す図である。
【００７４】
はじめに、照明コントローラ２０および各照明器具１１などの機器が建物の天井に設置される。こられの機器が建物に設置された状態で、照明システム１の通信設定が行われる。
【００７５】
まず、有線機器の結線確認が行われる（ステップＳ１１）。具体的には、照明コントローラ２０および照明器具１１のうち有線通信を行う照明コントローラ２０および照明器具１１の結線状態が確認される。その確認を行うため、制御部２１ｂは、図９の（ａ）に示すように、表示部３０ｃに照明コントローラ２０および照明器具１１の結線状態を確認するための画像を表示させる。制御部２１ｂは、表示部３０ｃを介して「結線確認開始」の入力を受け付けると、照明システム１の結線状態を可視化するための出力を行う。例えば制御部２１ｂは、有線接続されているメインコントローラ２１、サブコントローラ２２の表示ランプ、および、各照明器具１１の点灯部を所定の時間、点滅させる。これによりユーザは、メインコントローラ２１、サブコントローラ２２および各照明器具１１が有線接続されていることを視認することができる。
【００７６】
次に、有線機器に通信アドレスが付与される（ステップＳ１２）。具体的には、有線接続されているサブコントローラ２２および各照明器具１１のそれぞれに通信アドレスが付与される。通信アドレスを付与するため、制御部２１ｂは、図９の（ｂ）に示すように、表示部３０ｃに通信アドレスの設定を開始するための画像を表示させる。制御部２１ｂは、表示部３０ｃを介して「通信アドレス設定」の入力を受け付けると、サブコントローラ２２および各照明器具１１に通信アドレスを出力する。これにより、サブコントローラ２２および各照明器具１１のそれぞれに通信アドレスが保存され、制御部２１ｂにもサブコントローラ２２および各照明器具１１の通信アドレスが保存される。
【００７７】
なお、制御部２１ｂは、通信アドレスが付与される際に行われるメインコントローラ２１と、サブコントローラ２２、各照明器具１１との有線通信によって、機器の機種名および台数に関する情報を取得することができる。また、制御部２１ｂは、取得した機器の機種名等によって、照明システム１に無線機器が含まれるか否かの情報を取得することができる。
【００７８】
次に、機器の機種名および台数が表示される（ステップＳ１３）。ここで制御部２１ｂは、ステップＳ１２にて取得した機器の機種名および台数に関する情報を表示部３０ｃに表示させる。例えば、図９の（ｃ）には、有線機器として、メインコントローラが１台、有線通信を行うサブコントローラが１台、有線通信を行う照明器具が２台存在することが示されている。なお、この照明システム１では、無線機器は存在しないので、図９の（ｃ）には無線機器が表示されていない。
【００７９】
次に、制御部２１ｂにて、照明システム１における無線機器の有無が判断される（ステップＳ１４）。
【００８０】
この例では、制御部２１ｂは、照明コントローラ２０および複数の照明器具１１のなかに無線通信を行う照明コントローラおよび照明器具が含まれていないと判断し（Ｓ１４のＮ）、無線通信の通信設定に関する情報を表示部３０ｃに表示させず、次の工程へ進む。
【００８１】
このように、照明システム１に有線通信を行う照明コントローラおよび照明器具のみが含まれる場合に、有線通信の通信設定に関する情報のみを表示し、無線通信の通信設定に関する情報を表示しないことで、通信設定を行うユーザに戸惑いが生じることを抑制することができる。これにより、照明システム１の通信設定を簡易に行うことができる。
【００８２】
［１−５．効果等］
本実施の形態に係る照明システム１は、複数の照明器具１１、１２と、複数の照明器具１１、１２のそれぞれと通信する照明コントローラ２０と、照明コントローラ２０と通信する操作端末３０とを備える。操作端末３０は、照明コントローラ２０および複数の照明器具１１、１２に関する情報を表示する表示部３０ｃを有している。照明システム１は、照明コントローラ２０および複数の照明器具１１、１２のなかに無線通信を行う照明コントローラおよび照明器具が含まれているか否かを判断する制御部２１ｂを有している。制御部２１ｂは、無線通信を行う照明コントローラおよび照明器具が含まれていると判断した場合、表示部３０ｃに無線通信の通信設定に関する情報を表示させる。
【００８３】
このように、照明システム１に無線通信を行う照明コントローラおよび照明器具が含まれる場合に、無線通信の通信設定に関する情報を表示部３０ｃに表示することで、通信設定を行うユーザに戸惑いが生じることを抑制することができる。これにより、照明システム１の通信設定を簡易に行うことができる。
【００８４】
また、制御部２１ｂは、照明コントローラ２０および複数の照明器具１１、１２のなかに、有線通信を行う照明コントローラおよび照明器具が含まれ、かつ、無線通信を行う照明コントローラおよび照明器具が含まれていると判断した場合、表示部３０ｃに、有線通信の通信設定に関する情報を表示させた後に無線通信の通信設定に関する情報を表示させる。また、制御部２１ｂは、有線通信を行う照明コントローラおよび照明器具が含まれ、かつ、無線通信を行う照明コントローラおよび照明器具が含まれていないと判断した場合、表示部３０ｃに、有線通信の通信設定に関する情報を表示させた後に無線通信の通信設定に関する情報を表示させない。
【００８５】
このように、照明システム１に有線通信を行う照明コントローラおよび照明器具のみが含まれる場合に、有線通信の通信設定に関する情報のみを表示し、無線通信の通信設定に関する情報を表示しないことで、通信設定を行うユーザに戸惑いが生じることを抑制することができる。これにより、照明システム１の通信設定を簡易に行うことができる。
【００８６】
また、制御部２１ｂは、無線通信の通信設定に関する情報として、表示部３０ｃに、照明コントローラ２０と複数の照明器具１１、１２との間の電波強度に関する情報を表示させてもよい。
【００８７】
このように、照明システム１に無線通信を行う照明コントローラおよび照明器具が含まれる場合に、無線通信の電波強度に関する情報を表示部３０ｃに表示することで、例えば無線通信のチャネルを適切に選択することができる。これにより、照明システム１の通信設定を簡易に行うことができる。
【００８８】
また、制御部２１ｂは、無線通信の通信設定に関する情報として、表示部３０ｃに、複数の照明器具１１、１２に対する通信アドレスの付与に関する情報を表示させてもよい。
【００８９】
このように、照明システム１に無線通信を行う照明コントローラおよび照明器具が含まれる場合に、通信アドレスの付与に関する情報を表示部３０ｃに表示することで、照明システム１の通信設定を簡易に行うことができる。
【００９０】
また、照明コントローラ２０は、メインコントローラ２１と、メインコントローラ２１に接続されている１以上のサブコントローラ２２、２３とを備えていてもよい。
【００９１】
本実施の形態によれば、照明コントローラ２０が、例えばメインコントローラ２１とサブコントローラ２２、２３によって構成されている場合であっても、照明システム１の通信設定を簡易に行うことができる。
【００９２】
また、メインコントローラ２１は、１以上のサブコントローラ２２、２３と有線で通信してもよい。
【００９３】
本実施の形態によれば、メインコントローラ２１がサブコントローラ２２、２３と有線で通信する場合であっても、照明システム１の通信設定を簡易に行うことができる。
【００９４】
また、１以上のサブコントローラ２２、２３は、複数の照明器具１１、１２のそれぞれと有線または無線で通信してもよい。
【００９５】
本実施の形態によれば、照明システム１のなかに有線機器と無線機器とが混在する場合であっても、照明システム１の通信設定を簡易に行うことができる。
【００９６】
また、制御部２１ｂは、照明コントローラ２０および複数の照明器具１１、１２から照明コントローラ２０および複数の照明器具１１、１２の機種に関する機種情報を取得し、機種情報に基づいて上記判断を行ってもよい。
【００９７】
このように、照明コントローラ２０および複数の照明器具１１、１２の機種情報を取得することで、照明システム１に有線機器および無線機器が含まれるか否かの情報を取得することができる。これにより、照明システム１の通信設定を簡易に行うことができる。
【００９８】
また、制御部２１ｂは、照明コントローラ２０と複数の照明器具１１、１２との間で送受信される通信信号を取得し、通信信号に基づいて上記判断を行ってもよい。
【００９９】
このように、照明コントローラ２０と複数の照明器具１１、１２との間で送受信される通信信号を取得することで、照明システム１に有線機器および無線機器が含まれるか否かの情報を取得することができる。これにより、照明システム１の通信設定を簡易に行うことができる。
【０１００】
また、照明コントローラ２０は、複数の照明器具１１、１２に無線信号を送信し、制御部２１ｂは、複数の照明器具１１、１２のうち無線信号に応答した照明器具が存在するか否かに関する情報を取得し、当該情報に基づいて上記判断を行ってもよい。
【０１０１】
このように、無線信号に応答した照明器具が存在するか否かに関する情報を取得することで、照明システム１に無線機器が含まれるか否かを判断することができる。これにより、照明システム１の通信設定を簡易に行うことができる。
【０１０２】
また、照明コントローラ２０は、有線通信および無線通信のうち少なくとも一方の通信を行うように自身を設定する通信設定部２１ｅ、２２ｅ、２３ｅを有し、制御部２１ｂは、通信設定部２１ｅ、２２ｅ、２３ｅの設定に関する情報を取得した後に上記判断を行ってもよい。
【０１０３】
このように、通信設定部２１ｅ、２２ｅ、２３ｅの設定に関する情報を取得することで、照明システム１に無線機器が含まれるか否かの情報を取得することができる。これにより、照明システム１の通信設定を簡易に行うことができる。
【０１０４】
本実施の形態に係る照明システム１の通信設定方法は、複数の照明器具１１、１２と、複数の照明器具１１、１２のそれぞれと通信する照明コントローラ２０と、照明コントローラ２０と通信する操作端末３０とを備える照明システム１の通信設定方法であって、照明コントローラ２０および複数の照明器具１１、１２のなかに無線通信を行う照明コントローラおよび照明器具が含まれているか否かを判断する工程と、無線通信を行う照明コントローラおよび照明器具が含まれていると判断した場合、操作端末３０の表示部３０ｃに無線通信の通信設定に関する情報を表示する工程と、通信設定に関する情報に基づいた操作入力を受け付けることで、無線通信の通信設定を行う工程とを含む。
【０１０５】
このように、無線通信を行う照明コントローラおよび照明器具が含まれているか否かを判断する工程にて、無線通信を行う照明コントローラおよび照明器具が含まれると判断された場合に、無線通信の通信設定に関する情報を表示部３０ｃに表示することで、通信設定を行うユーザに戸惑いが生じることを抑制することができる。これにより、照明システム１の通信設定を簡易に行うことができる。
【０１０６】
（実施の形態２）
次に、実施の形態２に係る照明システム１Ａについて、図１０および図１１を参照しながら説明する。図１０は、実施の形態２に係る照明システム１Ａを示す概略図である。図１１は、照明システム１Ａを示すブロック構成図である。
【０１０７】
照明システム１Ａは、複数の照明器具１１、１２と、照明コントローラ２０と、操作端末３０とを備える。照明コントローラ２０は、メインコントローラ２１と１つのサブコントローラ２２とによって構成されている。
【０１０８】
照明コントローラ２０を構成するメインコントローラ２１およびサブコントローラ２２は、有線によって通信可能となっている。サブコントローラ２２および各照明器具１１は、有線によって通信可能となっている。また、サブコントローラ２２および各照明器具１２は、無線ｒ１によって通信可能となっている。すなわち、サブコントローラ２２は、有線通信および無線通信の両方の機能を有している。照明コントローラ２０および操作端末３０は、無線ｒ２によって通信可能となっている。
【０１０９】
上記照明システム１Ａの通信設定を行う際、制御部２１ｂは、照明コントローラ２０および複数の照明器具１１、１２のなかに無線通信を行う照明コントローラおよび照明器具が含まれているか否かを判断する。そして、制御部２１ｂは、照明システム１Ａに無線通信を行う照明コントローラおよび照明器具が含まれていると判断した場合、表示部３０ｃに無線通信の通信設定に関する情報を表示させる。
【０１１０】
このように、照明システム１Ａに無線通信を行う照明コントローラおよび照明器具が含まれる場合に、無線通信の通信設定に関する情報を表示部３０ｃに表示することで、通信設定を行うユーザに戸惑いが生じることを抑制することができる。これにより、照明システム１Ａの通信設定を簡易に行うことができる。
【０１１１】
（実施の形態３）
次に、実施の形態３に係る照明システム１Ｂについて、図１２および図１３を参照しながら説明する。図１２は、実施の形態３に係る照明システム１Ｂを示す概略図である。図１１は、照明システム１Ｂを示すブロック構成図である。
【０１１２】
照明システム１Ｂは、複数の照明器具１１、１２と、照明コントローラ２０と、操作端末３０とを備える。照明コントローラ２０は、メインコントローラ２１のみで構成されている。
【０１１３】
メインコントローラ２１および各照明器具１１は、有線によって通信可能となっている。また、メインコントローラ２１および各照明器具１２は、無線ｒ１によって通信可能となっている。すなわち、メインコントローラ２１は、有線通信および無線通信の両方の機能を有している。照明コントローラ２０および操作端末３０は、無線ｒ２によって通信可能となっている。
【０１１４】
上記照明システム１Ｂの通信設定を行う際、制御部２１ｂは、照明コントローラ２０および複数の照明器具１１、１２のなかに無線通信を行う照明コントローラおよび照明器具が含まれているか否かを判断する。そして、制御部２１ｂは、照明システム１Ｂに無線通信を行う照明コントローラおよび照明器具が含まれていると判断した場合、表示部３０ｃに無線通信の通信設定に関する情報を表示させる。
【０１１５】
このように、照明システム１Ｂに無線通信を行う照明コントローラおよび照明器具が含まれる場合に、無線通信の通信設定に関する情報を表示部３０ｃに表示することで、通信設定を行うユーザに戸惑いが生じることを抑制することができる。これにより、照明システム１Ｂの通信設定を簡易に行うことができる。
【０１１６】
（実施の形態４）
次に、実施の形態４に係る照明システム１の通信設定方法について、図１４および図１５を参照しながら説明する。実施の形態４に係る照明システム１の通信設定方法は、照明システム１の通信接続情報を設計データから取得する点で、実施の形態１と異なる。
【０１１７】
図１４は、実施の形態４の照明システム１の通信設定方法を示すフローチャートの一部である。図１５は、操作端末３０に表示される画像の一部を示す図である。
【０１１８】
実施の形態４の照明システム１では、まず、照明システム１の通信接続情報が取得される（ステップＳ１０）。通信接続情報とは、照明システム１が有する有線機器および無線機器の接続関係を示す情報である。
【０１１９】
操作端末３０は、照明システム１の通信接続情報を予め記憶する記憶部３０ｄを有しており、この記憶部３０ｄには、建物に配置されている各照明器具１１、１２、各サブコントローラ２２、２３、メインコントローラ２１のレイアウト情報、および、これらの機器の有線および無線に関する通信接続情報が記憶されている。
【０１２０】
図１５には、各場所に対応する通信接続情報が格納されたファイル名が示されている。これらのファイルの中から、通信設定を行う照明システム１のファイル名を選択することで、対応する通信接続情報が呼び出される。
【０１２１】
呼び出された通信接続情報は、通信部３０ａを介して照明コントローラ２０に送信される。これにより、照明コントローラ２０の制御部２１ｂは、上記の通信接続情報を取得する。
【０１２２】
このように制御部２１ｂは、記憶部３０ｄに記憶されている通信接続情報を取得することで、照明システム１に無線通信を行う照明コントローラおよび照明器具が含まれているか否かの判断を行う。
【０１２３】
実施の形態４でも、照明コントローラ２０および複数の照明器具１１、１２のなかに無線通信を行う照明コントローラおよび照明器具が含まれているか否かを判断する制御部２１ｂを有している。制御部２１ｂは、無線通信を行う照明コントローラおよび照明器具が含まれていると判断した場合、表示部３０ｃに無線通信の通信設定に関する情報を表示させる。
【０１２４】
また、操作端末３０は、照明システム１の通信接続情報を記憶する記憶部３０ｄを有し、制御部２１ｂは、記憶部３０ｄから通信接続情報を取得することで上記判断を行う。
【０１２５】
このように、記憶部３０ｄから通信接続情報を取得することで、照明システム１に無線機器が含まれるか否かの情報を取得することができる。これにより、照明システム１の通信設定を簡易に行うことができる。
【０１２６】
（その他の形態）
以上、照明システムについて、実施の形態に基づいて説明したが、本発明は、上記の実施の形態に限定されるものではない。例えば、上記の実施の形態に対して当業者が思いつく各種変形を施して得られる形態や、本発明の趣旨を逸脱しない範囲で実施の形態における構成要素および機能を任意に組み合わせることで実現される形態も本発明に含まれる。
【０１２７】
例えば、上記実施の形態１では、照明システム１の通信設定が行われることでサブコントローラ２２、２３の各制御部２２ｂ、２３ｂに各通信アドレスが保存される例を示したが、それに限られず、通信設定が行われる前に各制御部２２ｂ、２３ｂに各通信アドレスが保存されてもよい。
【０１２８】
また、上記実施の形態１では、サブコントローラ２２に照明器具１１が接続されている例を示したが、それに限られない。サブコントローラ２２には、照明器具のオンおよびオフを切り替えるスイッチ、または、建物内の環境を検出するセンサ等が有線で接続されていてもよい。
【符号の説明】
【０１２９】
１、１Ａ、１Ｂ  照明システム
１１、１２  照明器具
２０    照明コントローラ
２１    メインコントローラ
２１ｅ  通信設定部
２２、２３  サブコントローラ
２２ｅ、２３ｅ  通信設定部
３０  操作端末
３０ｃ  表示部
３０ｄ  記憶部
【図１】
2020021571.tif 000003
【図２】
2020021571.tif 000004
【図３】
2020021571.tif 000005
【図４】
2020021571.tif 000006
【図５】
2020021571.tif 000007
【図６】
2020021571.tif 000008
【図７】
2020021571.tif 000009
【図８】
2020021571.tif 000010
【図９】
2020021571.tif 000011
【図１０】
2020021571.tif 000012
【図１１】
2020021571.tif 000013
【図１２】
2020021571.tif 000014
【図１３】
2020021571.tif 000015
【図１４】
2020021571.tif 000016
【図１５】
2020021571.tif 000017